(57)【要約】【課題】  フリッカを抑制する液晶表示装置を提供すること。【解決手段】  上記課題を解決するために、本発明の液晶表示装置は、光源からの光を変調する光変調素子と、前記光変調素子からの光を検出する光検出手段と、前記光変調素子に印加する電圧値を設定する制御手段を有する液晶表示装置であって、フリッカを低減するために、前記光変調素子に印加する電圧値を調整する調整モードにおいて、前記制御手段は、前記光検出手段の検出結果の振幅が小さくなるように調整した第１の電圧値を設定し、前記光変調素子に対して電圧が印加されない期間の後に、前記光変調素子に対して電圧を印加するときは、前記第１の電圧値よりも低い第２の電圧値を設定することを特徴とする。【選択図】  図３
2012203126.tif 000002
【特許請求の範囲】
【請求項１】
光源からの光を変調する光変調素子と、
前記光変調素子からの光を検出する光検出手段と、
前記光変調素子に印加する電圧値を設定する制御手段を有する液晶表示装置であって、
フリッカを低減するために、前記光変調素子に印加する電圧値を調整する調整モードにおいて、前記制御手段は、前記光検出手段の検出結果の振幅が小さくなるように調整した第１の電圧値を設定し、
前記光変調素子に対して電圧が印加されない期間の後に、前記光変調素子に対して電圧を印加するときは、前記第１の電圧値よりも低い第２の電圧値を設定することを特徴とする液晶表示装置。
【請求項２】
前記第２の電圧値は、電荷の偏りがない状態において液晶表示素子に設定された基準電圧値よりも高い電圧値であることを特徴とする請求項１に記載の液晶表示装置。
【請求項３】
前記第２の電圧値は、前記第１の電圧値と前記基準電圧値との平均値であることを特徴とする請求項２に記載の液晶表示装置。
【請求項４】
前記液晶表示装置の電源がオフされてから、オンされるまでの時間を計測するタイマーを有し、
前記第２の電圧値は、前記タイマーにより計測された時間と前記第１の電圧値と前記基準電圧値とに基づく値であることを特徴とする請求項２または３に記載の液晶表示装置。
【請求項５】
前記第２の電圧値は、前記タイマーにより計測された時間の関数を用いた値であることを特徴とする請求項４に記載の液晶表示装置。
【請求項６】
光源からの光を変調する光変調素子と、
前記光変調素子からの光を検出する光検出手段と、
前記光変調素子に印加する電圧値を設定する制御手段を有する液晶表示装置に以下のステップを実行させる制御プログラムであって、
フリッカを低減するために、前記光変調素子に印加する電圧値を調整する調整モードにおいて、前記制御手段は、前記光検出手段の検出結果の振幅が小さくなるように、前記光変調素子に印加する電圧値を調整し、調整された第１の電圧値を設定する第１の設定ステップと、
前記光変調素子に対して電圧が印加されない期間の後に、前記光変調素子に対して電圧を印加するときは、前記第１の電圧値よりも低い第２の電圧値を設定する第２の設定ステップを有することを特徴とする制御プログラム。
【請求項７】
光源からの光を変調する光変調素子と、
前記光変調素子からの光を検出する光検出手段と、
前記光変調素子に印加する電圧値を設定する制御手段を有する液晶表示装置の制御方法であって、
フリッカを低減するために、前記光変調素子に印加する電圧値を調整する調整モードにおいて、前記制御手段は、前記光検出手段の検出結果の振幅が小さくなるように、前記光変調素子に印加する電圧値を調整し、調整された第１の電圧値を設定し、
前記光変調素子に対して電圧が印加されない期間の後に、前記光変調素子に対して電圧を印加するときは、前記第１の電圧値よりも低い第２の電圧値を設定することを特徴とする制御方法。
【発明の詳細な説明】
【技術分野】
【０００１】
本発明は、液晶表示装置に関する。特に液晶表示素子の駆動に関する発明である。
【背景技術】
【０００２】
従来、電圧の印加による液晶表示素子のイオン性物質の偏りを低減し、所望の強度の電圧を液晶層に与えるために、共通電極電圧値に対して同じ大きさの正の電圧値と負の電圧値を液晶層に印加する液晶表示素子の駆動方法（反転ドライブ方法）が知られている。この駆動を行う際に、液晶表示素子の絶縁体の非導電性膜（液晶配向膜、反射増強膜、金属溶出防止用の無機パッシベーション膜等）において、電子やホールの電荷そのものがトラッピングされることがある。電子やホールがトラップされてしまうと、膜の界面がチャージアップを引き起こし、このチャージアップによって液晶層へ印加した電圧値と実際に液晶表示素子に印加される電圧値（実効電圧値）が変化してしまうことがある。
【０００３】
チャージアップが発生すると、正の電圧値を印加したときの画像の明るさと、負の電圧値を印加したときの画像の明るさとが互いに異なってしまい、フリッカが発生する。フリッカは、一般的な１２０Ｈｚで反転する配列画素全てに印加する電圧の正負極性を特定の周波数で反転するフィールド反転ドライブ方法では、正の電位差の絶対値と負の電位差の絶対値との差が２００ｍＶ以上になると人の目で視認できると言われている。
【０００４】
特許文献１には、このフリッカを低減するために、輝度センサを配置し、液晶表示素子の変調光の輝度を検出させる。そして、共通電極電圧値を変化させて、同一の画像信号に基づく画像を表示させた際の輝度の最大値と最小値の差をフリッカ値として求め、その差が最小になる電圧値を設定するプロジェクタが開示されている。
【０００５】
特許文献２には、画像光の輝度を波長域毎に検出する複数の輝度センサ部を配置し、輝度センサの出力に基づいて、フリッカが最小となるように、共通電極電圧値の大きさを調整する液晶表示装置が開示されている。
【先行技術文献】
【特許文献】
【０００６】
【特許文献１】特開２００５−２２１５６９号公報
【特許文献２】特開２００８−０２６６１３号公報
【発明の概要】
【発明が解決しようとする課題】
【０００７】
液晶表示素子の駆動中にイオン性物質の偏在による電荷の偏在があっても、液晶表示素子を駆動せずに放置することでイオン拡散効果により電荷の偏在が解消されていく。また、膜の界面でのチャージアップがあっても、液晶表示素子を駆動せずに放置することで膜の界面にトラップされている電荷が除去され、電荷の偏在が解消されていく。つまり、液晶表示素子を駆動せずに放置する間、フリッカを低減するために最適な実効電圧値は、最後に液晶表示素子を駆動していた際にフリッカが最小となるように調整した実効電圧値から初期設定値に近づくように変化してしまう。
【０００８】
特許文献１、２に開示されている技術では、液晶プロジェクタの電源をオフして所定時間後に再度使用を開始するなど、調整後に放置された場合の実効電圧値の変化を考慮していない。よって、再起動時に前回の調整時に設定した電圧値で駆動すると、フリッカがより目立ってしまうという課題があった。
【課題を解決するための手段】
【０００９】
上記課題を解決するために、本発明の液晶表示装置は、
光源からの光を変調する光変調素子と、
前記光変調素子からの光を検出する光検出手段と、
前記光変調素子に印加する電圧値を設定する制御手段を有する液晶表示装置であって、
フリッカを低減するために、前記光変調素子に印加する電圧値を調整する調整モードにおいて、前記制御手段は、前記光検出手段の検出結果の振幅が小さくなるように調整した第１の電圧値を設定し、
前記光変調素子に対して電圧が印加されない期間の後に、前記光変調素子に対して電圧を印加するときは、前記第１の電圧値よりも低い第２の電圧値を設定することを特徴とする。
【発明の効果】
【００１０】
本発明の効果は、液晶表示装置の電圧値を適当に設定することにより、電圧が印加されない期間の後に、電圧が印加された場合においても、フリッカを抑制することが可能な液晶表示装置を提供することできる点にある。
【図面の簡単な説明】
【００１１】
【図１】実施形態１の液晶表示装置の概略構成図
【図２】液晶表示素子の概略構成図
【図３】実施形態１の主な構成を示すブロック図
【図４】実施形態１のフローチャート
【図５】液晶表示素子の変調光の光応答波形を示す図
【図６】液晶表示素子に印加する共通電極電圧値とフリッカ量の相関図
【図７】実施形態２の主な構成を示すブロック図
【図８】実施形態２のフローチャート
【発明を実施するための形態】
【００１２】
（実施形態１）
図１は、実施形態１の液晶プロジェクタ等の液晶表示装置の構成図である。ランプ１０を出射した光は、シリンダレンズアレイ２１により複数の光束に分割され、シリンダレンズアレイ２２の近傍に光源像を形成する。紫外線吸収フィルタ２３は、紫外線を吸収する。シリンダレンズアレイ２２を通過した分割光束は、偏光変換素子２４に入射する。偏光変換素子２４により、入射した非偏光光は所定の偏光方向を有する偏光光に変換される。フロントコンプレッサ２５は、水平方向（図の紙面に沿う方向）において屈折力を有するシリンドリカルレンズで構成されている。よって、偏光変換素子２４を出射した偏光光は、フロントコンプレッサ２５により集光されつつ、全反射ミラーに２６によりその光路を折り曲げられ、リアコンプレッサ２８により再び略平行な光束となる。
【００１３】
コンデンサーレンズ２７は、シリンダレンズアレイ２１により分割された分割光束を液晶表示素子５０Ｒ、５０Ｇ、５０Ｂ（光変調素子）に重ね合わせることにより、液晶表示素子５０Ｒ、５０Ｇ、５０Ｂを均一に照明する。
【００１４】
ダイクロイックミラー３１は、青と赤の波長領域の光（以降、Ｂ光、Ｒ光とする）を反射し、緑の波長領域の光（以降、Ｇ光とする）を透過する。ダイクロイックミラー３１により反射されたＢ光とＲ光のうち、Ｓ偏光光のみが偏光板３２ｂを透過する。偏光板３２ｂを透過したＢ光、Ｒ光のうち、色選択性位相差板３６ａにより、Ｂ光のみ、その偏光方向が９０度回転され、Ｐ偏光光となったＢ光は偏光ビームスプリッタ３３ｂを透過し、１／４波長板３５Ｂを介して、液晶表示素子５０Ｂに入射する。
【００１５】
一方、色選択性位相差板３６ａを通過したＳ偏光光のＲ光は、偏光ビームスプリッタ３３ｂにより反射され、液晶表示素子５０Ｒに入射する。
【００１６】
液晶表示素子５０Ｂにより変調されてＳ偏光光となったＢの画像光は、偏光ビームスプリッタ３３ｂにより反射される。一方、液晶表示素子５０Ｂにより変調されなかったＰ偏光光は、偏光ビームスプリッタ３３ｂを透過して、光源側に戻る。液晶表示素子５０Ｒにより変調されたＰ偏光光となったＲの画像光は、偏光ビームスプリッタ３３ｂを透過する。一方、液晶表示素子５０Ｒにより変調されなかったＳ偏光光は、偏光ビームスプリッタ３３ｂにより反射され、光源側に戻る。
【００１７】
そして、Ｂ、Ｒの画像光は、偏光ビームスプリッタ３３ｂにより合成された光は、偏光ビームスプリッタ３３ｃ側へと射出される。その射出光のうちＲ光は、Ｒ光に対してのみ作用し、その偏光方向を９０度回転させる色選択性位相差板３６ｂにより、Ｓ偏光光へと変換される。そして、Ｂ光はその偏光方向を変えずに偏光板３２ｃに入射する。偏光板３２ｃはＳ偏光光のみを透過する偏光板であり、Ｂ光、Ｒ光のＳ偏光光は偏光板３２ｃを透過し、偏光ビームスプリッタ３３ｃへ入射する。
【００１８】
ダイクロイックミラー３１を透過したＧ光は、Ｓ偏光光のみを透過する偏光板３２ａを介して、偏光ビームスプリッタ３３ａに入射する。Ｓ偏光光であるＧ光は、偏光ビームスプリッタ３３ａにより反射され、液晶表示素子５０Ｇに入射する。液晶表示素子５０Ｇにより変調されＰ偏光光となったＧの画像光は、偏光ビームスプリッタ３３ａを透過して、偏光ビームスプリッタ３３ｃに入射する。偏光ビームスプリッタ３３ｃに入射したＲ光、Ｂ光、Ｇ光は偏光ビームスプリッタ３３ｃにより合成され、投射光学系４０へと導かれる。
【００１９】
投射光学系４０は、鏡筒４０ａと不図示の光学素子を有し、偏光ビームスプリッタ３３ｃにより合成された合成光をスクリーン２００に投射する。
【００２０】
以降、図１で示した液晶表示素子５０Ｒ、５０Ｇ、５０Ｂを代表して液晶表示素子５０とし、液晶表示素子５０について図２を用いて説明する。図２は液晶表示素子５０の断面図である。液晶表示素子５０は、対向基板５１と、液晶材料（液晶層）５５と、駆動基板５６とから構成される。対向基板５１は、ガラス基板５２、共通電極５３（透明電極）、配向膜５４を有する。駆動基板５６は、配向膜５７と、画素電極５８と、Ｓｉ基板５９を有する。以下、液晶表示素子５０の共通電極５３あるいは画素電極５８に印加する電圧値（共通電極電圧値）を、液晶表示素子に印加する電圧値とする。共通電極電圧値を基準として、正の電圧と負の電圧が印加されることにより、液晶表示素子５０は駆動される。
【００２１】
図３は本発明の主要部の関係を示すブロック図である。図１で示した制御部７６（制御手段）は駆動手段７０と表示画像調整手段７２を含む。駆動手段７０は、不図示の入力機器、例えばパーソナルコンピュータ等により画像が入力されると、その入力画像を形成するように液晶表示素子５０を駆動する。駆動手段７０は、入力機器からの画像の入力信号（Ｖｓｉｇ）を液晶表示素子５０に最適な駆動信号（ＬＣｓｉｇ）に変換する。その駆動信号で液晶表示素子５０を駆動して、画像を表示する。駆動信号（ＬＣｓｉｇ）には、液晶表示素子５０の画素電極５８に印加する電圧値と、共通電極５３に印加する共通電極電圧値等が含まれる。
【００２２】
表示画像検出手段８０（光検出手段）は、液晶表示素子５０が変調した光を検出するための光センサと、光センサの出力からノイズ成分を除去するためのフィルタと、フィルタを通過した出力をデジタル値に変換するＡＤ変換器を有する。表示画像検出手段８０は、液晶表示素子５０の変調光の出力波形を記憶部６０に記憶させる。
【００２３】
図１に示すように、表示画像検出手段８０を偏光ビームスプリッタ３３ｃと筐体１ａとの間に配置することによって、投射画像を遮ることなく、液晶表示素子５０により変調された光を検出することができる。
【００２４】
記憶部６０には、光応答波形のデータや、液晶表示素子の初期設定値（基準電圧値）に関するデータ、液晶表示素子を駆動するために必要なデータ、フリッカ量等が記憶される。初期設定値（基準電圧値）とは液晶表示素子にイオン性物質の偏在がない場合において設定される電圧値であり、具体的には工場出荷時に設定された値である。
【００２５】
表示画像調整手段７２は、フリッカを調整するためのテストパターンを表示するように、駆動手段７０に命令を出す。
【００２６】
次に、図４に記載のフローチャートに沿って、図３の各ブロックの動作等について説明する。
【００２７】
Ｓｔｅｐ１において、ユーザーによる調整モードの開始指示を受けた液晶表示装置は本フローを開始する。
【００２８】
Ｓｔｅｐ２において、液晶表示装置は記憶部６０に記憶されている共通電極電圧値の初期設定値Ｖｓを読み込む。
【００２９】
Ｓｔｅｐ３において、表示画像調整手段７２は、Ｓｔｅｐ２において読み込まれた初期設定値Ｖｓを共通電極電圧値として設定する。そして、表示画像調整手段７２は、駆動手段７０に対して、フリッカを調整するためのテストパターン（検出画像）を表示するように、命令を出す。駆動手段７０は、その命令に従って、液晶表示素子５０に駆動信号を送る。フリッカ調整用のテストパターンとしては、最もフリッカを検出しやすい画像を表示することが好ましい。例えば、画面全体において明るさが５０％付近（グレー階調）の画像である。
【００３０】
テストパターンを表示させたときに、表示画像検出手段８０により検出された出力波形の検出結果の一例を図５に示す。共通電極電圧値を変化させると、この出力波形の振幅が変わる。実施形態では、この出力波形の振幅をフリッカ量ＬＶｆｌｋとする。
【００３１】
Ｓｔｅｐ４において、表示画像検出手段８０は、液晶表示素子５０の変調光の出力波形を検出する。その検出結果から液晶表示装置はフリッカ量を算出し、フリッカ量と駆動条件（共通電極電圧値）を記憶部６０に記憶させる。
【００３２】
Ｓｔｅｐ５、Ｓｔｅｐ５２において、表示画像検出手段８０が検出するフリッカ量が略最小となるまで、共通電極電圧値（Ｖｃｏｍ）を変更する。そして、表示画像調整手段７２は、図６に示すように共通電極電圧値を変更した時のフリッカ量を記憶させる。
【００３３】
Ｓｔｅｐ５において、フリッカ量が記憶部６０の中で最小と判定された場合、ｓｔｅｐ６において、フリッカ量が最小となる共通電極電圧値（第１の電圧値）を設定する（第１の設定ステップ）。
【００３４】
Ｓｔｅｐ７において、液晶表示装置は、記憶部６０に記憶済みのフリッカ量が最小となる共通電極電圧値（Ｖｍｉｎ）と初期設定値Ｖｓの平均値（Ｖｍｉｎ＋Ｖｓ）／２を算出する。
【００３５】
Ｓｔｅｐ８において、表示画像調整手段７２は、Ｓｔｅｐ７で算出された平均値を記憶部６０に記憶させ、フリッカ調整モードは終了する。
【００３６】
そして、電源がオフにされ、所定期間の後に、液晶表示素子５０に電圧が印加されたときに、Ｓｔｅｐ８において、記憶部６０に記憶された平均値を共通電極電圧値（第２の電圧値）として設定する（第２の設定ステップ）。
【００３７】
課題の欄で述べたように、液晶表示装置の電源がオフされたあと、フリッカを低減するために液晶表示素子の共通電極あるいは画素電極に印加すべき最適な電圧値は、電荷の偏りの解消により、工場出荷時の初期設定値Ｖｓに近づいていく。したがって、液晶表示装置の電源がオフされ、しばらく放置されたあと再び起動された際に、液晶表示素子５０に印加すべき電圧値として、表示画像調整手段７２は、Ｓｔｅｐ５において設定された電圧値（Ｖｍｉｎ）よりも低い電圧値を設定すれば良い。つまり、液晶表示素子に対して電圧が印加されない期間の後に、液晶表示素子に対して電圧を印加するときは、第１の電圧値よりも低い第２の電圧値を設定すれば良い。
【００３８】
上記のフローチャートを実行することにより、画像表示装置の起動を停止し、しばらく放置した後に電源のオンが指示された場合に、特にフリッカの発生を抑える効果を得ることができる。理由は、最適な電圧値が初期設定値に近づくように変化しているにもかかわらず、変化前に最適であった電圧値によって液晶表示素子が駆動されてしまうことがなくなるからである。
【００３９】
なお、実施形態１では、フリッカ調整モードにおいて、次回起動時に液晶表示素子に印加される電圧値（Ｖｍｉｎ＋Ｖｓ／２）を記憶部６０に記憶させ、次回起動のときに、平均値を共通電極電圧値として設定させたが、これに限られない。例えば、液晶表示装置の電源がオフされる指示を受けたときに、液晶表示素子５０に印加すべき電圧値として平均値を設定してもよい。これにより、次回起動時には、電圧値の設定処理を行わずとも良いので、液晶表示装置５０を起動させる際の処理速度を向上させることができる。
【００４０】
また、Ｓｔｅｐ４におけるフリッカ量の求め方としては、光センサの出力に基づいて、液晶表示素子５０の駆動周波数成分をフーリエ変換にて抽出し、その周波数成分の強度をフリッカ量としてもよい。
【００４１】
また、Ｓｔｅｐ４、Ｓｔｅｐ５において、出力波形の振幅が最小となる電圧値を共通電極電圧値として設定したがこれに限られない。例えば、互いに異なる共通電極電圧値と、その時のフリッカ量を用いて近似曲線式をフィッティングさせることで、フリッカ量が小さくなる共通電極電圧値を求めても良い。つまり、設定される共通電極電圧値はフリッカ量が最小となる電圧値が設定されることが好ましいが、必ずしも最小である必要はなく、フリッカが低減されるような電圧値が設定されればよい。
【００４２】
また、Ｓｔｅｐ７において、フリッカが最小となる共通電極電圧値（Ｖｍｉｎ）と初期設定値Ｖｓの平均値を算出しているが、これに限定されず、例えば調整で得られた値をＶｍｉｎ、初期設定値をＶｓとしたときに（２Ｖｍｉｎ＋Ｖｓ）／３等としてもよい。
【００４３】
（実施形態２）
実施形態１では、記憶部６０が記憶している初期設定値Ｖｓとフリッカが最小となる共通電極電圧値（Ｖｍｉｎ）から、液晶表示素子５０の駆動信号の設定値を決める形態について説明した。実施形態２では初期設定値Ｖｓと共通電極電圧値（Ｖｍｉｎ）以外に、時間を計測するタイマー部を持つ形態について説明する。実施形態１と異なる点は、タイマー部を有する点と、電源オン時に最適な共通電極電圧値を設定する点である。
【００４４】
図７に実施形態２の主な構成のブロック図を示す。タイマー部７４は、液晶表示素子５０の電源がオフされてからの経過時間を計測し、記憶部６０に記憶する。そして、次回電源がオンされた時の共通電極電圧値を設定するために、経過時間は利用される。
【００４５】
図８のフローチャートを参照しながら、図７の各ブロックの動作について説明する。Ｓｔｅｐ１からＳｔｅｐ７までは実施形態１と同じである。Ｓｔｅｐ７のあとに液晶表示装置の電源オフの指示を受けると、タイマー部７４は、電源がオフされてからの経過時間のカウントを開始する。そして、液晶表示素子５０の電源がオンされるまで、経過時間のカウントを継続する。
【００４６】
Ｓｔｅｐ８において、電源オフ後に、次回電源オン時までの時間Ｔｉをタイマー部７４から記憶部６０に経過時間（Ｔｉ）を記憶させる。
【００４７】
Ｓｔｅｐ９において、液晶表示装置は、電願オン時に記憶部６０に記憶されている初期設定値Ｖｓ、共通電極電圧値Ｖｍｉｎ（第１の電圧値）、経過時間Ｔｉを用いて、設定すべき共通電極電圧値Ｖｎｅｗを算出する。
【００４８】
Ｓｔｅｐ１０において、表示画像調整手段７２は、駆動手段７０が液晶表示素子５０に共通電極電圧値Ｖｎｅｗ（第２の電圧値）を印加するように設定する（第２の設定ステップ）。
【００４９】
共通電極電圧値Ｖｎｅｗは、以下のステップにより算出される。最適な共通電極電圧値は、液晶表示素子の電源がオフ状態では、時間と共に初期設定値Ｖｓに近付くことが本発明者により見出されている。従って、最適な共通電極電圧値は、フリッカが最小となるように調整された共通電極電圧値Ｖｍｉｎから初期設定値Ｖｓへと減少する関数であればよい。また、共通電極電圧値Ｖｍｉｎはおよそ５００時間程度で初期設定値Ｖｓに戻り、安定することも、本発明者により見出されている。
【００５０】
以上から、再び電源がオンされる際の共通電極電圧値Ｖｎｅｗを実施形態２では以下の式を用いて算出する。
【００５１】
【数１】
2012203126.tif 000003
【００５２】
つまり、経過時間Ｔｉは境界条件であり、Ｔｉが５００時間未満の場合は、初期設定値Ｖｓと共通電極電圧値Ｖｍｉｎと経過時間Ｔｉとの関数により求められる値を共通電極電圧値として設定する。一方、５００時間以上、電源がオフされた状態であった場合は、初期設定値Ｖｓが共通電極電圧値として設定される。
【００５３】
以上より、使用状況に適応した共通電極電圧値を設定することが可能となり、長時間電源がオフされていたことにより、最適な共通電極電圧値が変化してしまった場合において、次回起動時に最適な共通電極電圧値が印加されるので、フリッカが抑えられる。
【００５４】
なお、使用する関数や安定化までの時間については上記に限定されることなく、２次関数で減少するようにしてもよい。また、初期設定値に収束する時間を１００時間から１０００時間程度の中で任意に設定してもよい。
【００５５】
また、タイマー部７４は液晶表示素子５０がオフされてからの経過時間を計測しても良い。あるいは、液晶プロジェクタの電源がオフされてからの経過時間を計測しても良い。
【００５６】
なお、実施形態２においてタイマー部は経過時間そのものを記憶部６０に記憶させても良いし、カウント値を記憶させてもよい。
【００５７】
また、実施形態１、実施形態２の各フローの主体は、図１の制御部７６としたが、それぞれのステップを別々に構成された制御部７６が実行しても良い。実施形態１及び２を制御プログラムで実施する場合は、制御部あるいは液晶表示装置に実施形態１及び２のフローを実行させれば良い。
【００５８】
なお、実施形態１及び２において、フリッカを低減するように共通電極電圧値を変化させることが一般的であるが、画素電極５８に印加する電圧値を変化させても良い。
【００５９】
また、ユーザーの調整モード開始の指示を受けたら、「調整開始」と文字を投射画像に表示してユーザーに調整モードに入ることを認識させてもよい。また、フリッカを低減させるための共通電極電圧値の設定が終了した時点で「調整終了」と表示することで調整モード終了を知らせてもよい。あるいは、調整の開始と終了を共に知らせてもよい。
【００６０】
また、調整モードの開始の指示が出た後に、投射画像を遮るシャッターを閉じて調整し、終了後にシャッターを開く等して、調整中の画像が外部に投影されないようにしてもよい。
【００６１】
また、調整モードの開始の指示は、ユーザーからの操作部を介した指示であったがこれに限られず、特定の手続きが終了したら調整モードを開始してもよい。
【００６２】
また、表示画像検出手段８０を配置する場所は、偏光ビームスプリッタ３３ｃの横に限らず、液晶表示素子５０の変調後の光を検出できる箇所であればよい。例えば、投射光学系４０の内部に設置しても良いし、不要光を遮光するためのマスクがある場合はそのマスク等に取り付けても良い。また、液晶表示装置の投射画像を遮るシャッターや、投射光学系４０のカバーに設置しても良い。
【００６３】
また、液晶表示装置の電源オンから電源オフまでの時間が短い場合には、本発明の表示画像調整を行わないようにしてもよい。液晶表示素子５０の電気光学特性が安定するまでには時間がかかることが知られているので、電気光学特性が安定した後に、表示画像調整を行えば、適切に調整を行うことができる。
【００６４】
また、本発明の液晶表示装置は、投射光学系を構成要素として有さない液晶表示装置本体も含む。
【００６５】
以上、本発明の実施の形態を説明したが、本発明はこれらの実施の形態に限定されず、その要旨の範囲内で様々な変形及び変更が可能である。
【符号の説明】
【００６６】
５０  液晶表示素子
６０  記憶部
７０  駆動手段
７２  表示画像調整手段
８０  表示画像検出手段
【図１】
2012203126.tif 000004
【図２】
2012203126.tif 000005
【図３】
2012203126.tif 000006
【図４】
2012203126.tif 000007
【図５】
2012203126.tif 000008
【図６】
2012203126.tif 000009
【図７】
2012203126.tif 000010
【図８】
2012203126.tif 000011